(57)【要約】【課題】スイートエリアを拡大してミスショットを減らすゴルフクラブヘッドを提供する。【解決手段】ゴルフクラブヘッド１００は、面板部１１０およびゴルフクラブヘッド１００の残部を構成する本体１２０からなる。複数の直線状突出部１１２は、面板部１１０の前方打撃面の裏側に位置する背面１１０ｂに互いに平行になるように形成されている。その直線状突出部１１２は、異なる長さを有して楕円形パターンまたはダイヤパターンに配置され、面板部１１０の背面１１０ｂ上にあるゴルフクラブヘッド１００の重心の延長線を含んでいる。【選択図】図１
0003122711.tif 000002
【実用新案登録請求の範囲】
【請求項１】
面板部、上部に形成される上部、下部に形成されるソール部、先端部に形成されるトウ部、シャフト側に形成されるヒール部、前記シャフトが固着されるホーゼル部、および複数の直線状突出部を備えたゴルフクラブヘッドであって、
前記面板部は、ゴルフボールを打撃するための前方打撃面および該前方打撃面とは表裏の関係となる背面を有し、
前記直線状突出部は、前記面板部の背面側において前記上部、前記ソール部、前記トウ部、前記ヒール部および前記ホーゼル部の間に配置され、前記トウ部側と前記ヒール部側との間で平行に形成され、
前記直線状突出部は、それぞれ異なる長さを有して楕円形パターンまたはダイヤパターンに配置され、前記面板部の背面側において重心の延長線を含む位置に形成されていることを特徴とするゴルフクラブヘッド。
【請求項２】
前記楕円形パターンまたは前記ダイヤパターンの幾何学中心は、前記面板部の背面側において重心のほぼ延長線上に位置することを特徴とする請求項１に記載のゴルフクラブヘッド。
【請求項３】
前記面板部の前記前方打撃面側に、前記ソール部と前記ヒール部との間で水平方向へ延伸し、前記直線状突出部の延伸方向と平行に延伸している複数のスコアリングラインをさらに備えることを特徴とする請求項１に記載のゴルフクラブヘッド。
【請求項４】
前記直線状突出部は、突出高さが０．３〜３ｍｍの間であり、０．３〜３ｍｍの間隔で配置されていることを特徴とする請求項１に記載のゴルフクラブヘッド。
【請求項５】
面板部、本体、複数のスコアリングラインおよび複数の直線状突出部を備えたゴルフクラブヘッドであって、
前記面板部は、ゴルフボールを打撃するための前方打撃面および該前方打撃面とは表裏の関係となる背面を有し、
前記本体は、前記面板部を除く部分を構成し、
前記スコアリングラインは、前記面板部の前記前方打撃面側に水平方向へ延伸して形成され、
前記直線状突出部は、前記スコアリングラインの延伸方向に平行であって、前記面板部の前記背面側で互いに平行に形成され、
前記直線状突出部は、異なる長さを有し、形成する楕円形パターンまたはダイヤパターンの幾何学中心が、前記面板部の前記背面側にある重心のほぼ延長線上に位置することを特徴とするゴルフクラブヘッド。
【請求項６】
前記直線状突出部は、突出高さが０．３〜３ｍｍの間であり、０．３〜３ｍｍの間隔で配置されていることを特徴とする請求項５に記載のゴルフクラブヘッド。
【考案の詳細な説明】
【技術分野】
【０００１】
本考案は、ウッド型またはアイアン型のゴルフクラブヘッドに関する。
【背景技術】
【０００２】
安定した打撃により打撃距離が伸びるように、ゴルフクラブヘッドには様々な改良が行われてきている。特に、打撃距離はスコアに直接影響を与えた。そして、ゴルファーが最大の打撃距離を得るには、ゴルフクラブヘッドのスイートエリアでボールを打つ必要があった。しかし、アマチュアプレーヤの多くにとって、スイートエリアでボールを打つことは簡単なことではなかった。
【０００３】
そのため、ヘッドの体積が大きなゴルフクラブにより、スイートエリアを大きくして打撃を容易にするゴルフクラブが開発されている。しかし、ヘッドの体積を大きくすると、重心が上側に移動すると同時に、スイートエリアも上方へ移動してしまった。そのため、ゴルフクラブヘッドの重心を低くしなければならないという要求に合致しなくなった。
【０００４】
上述した問題に鑑み、ゴルフクラブヘッドには依然として改良の余地があり、特にスイートエリアの拡大に関して改良が求められている。
【考案の開示】
【考案が解決しようとする課題】
【０００５】
本考案の目的は、スイートエリアを拡大してミスショットを減らすゴルフクラブヘッドを提供することにある。
【課題を解決するための手段】
【０００６】
上述の目的を達成するため、本考案は、面板部および本体からなるアイアン型またはウッド型のゴルフクラブヘッドを提供する。面板部は、ゴルフボールを打撃するための前方打撃面および前方打撃面と表裏の関係にある有する。本体は、ゴルフクラブヘッドの上部に形成された上部と、ゴルフクラブヘッドの下部に形成されたソール部と、ゴルフクラブヘッドの前部に形成されたトウ部と、ゴルフクラブヘッドの後部に形成されたヒール部と、シャフトへ固着されたホーゼル部とを含む。
【０００７】
さらに、上述の目的を達成するため、本考案の複数の直線状突出部は、面板部の背面上で互いに平行な状態に形成され、上部、ソール部、トウ部、ヒール部およびホーゼル部の間に配置されている。そのため、拡大されたスイートエリアにより容易に打撃を行うことができる。直線状突出部は、異なる長さを有して楕円形パターンまたはダイヤパターンに配置され、背面上にあるゴルフクラブヘッドの重心の延長線を含む。
【０００８】
楕円形パターンまたはダイヤパターンの幾何学中心は、面板部の背面上にあるゴルフクラブヘッドの重心のほぼ延長線上に位置することが好ましい。
【考案の効果】
【０００９】
本考案のゴルフクラブヘッドには、面板部の背面側に直線状突出部が配置され、大きなスイートエリアが形成されている。そのため、アマチュアプレーヤは、この拡大されたスイートエリアにより容易にボールを打撃することができる。
【考案を実施するための最良の形態】
【００１０】
以下、本考案の実施形態を図面に基づいて説明する。
図１および図２は、本考案の一実施形態によるゴルフクラブヘッド１００を示す。ゴルフクラブヘッド１００は、金属（例えば純チタン、チタン合金、アルミニウム合金またはマグネシウム合金）からなる面板部１１０および本体１２０を含むアイアン型ゴルフクラブヘッドである。面板部１１０および本体１２０は、鋳造またはモールドの工程を行う時に一体形成されてもよい。或いは、本実施形態のゴルフクラブヘッドは、ロストワックス法により面板を開口部に装着された本体と一体成形し、面板を開口に配置して本体に溶接されて製作されてもよい。また溶接工程を行う時に、溶接された製品に研磨または時効硬化の少なくともいずれか一方をさらに行ってもよい。面板は、鋳造またはプレスにより本体へ溶接される。
【００１１】
本体１２０は、ゴルフクラブヘッドの上部に形成されている上部１２２と、ゴルフクラブヘッドの下部に形成されているソール部１２３と、ゴルフクラブヘッドの前部すなわち先端側に形成されているトウ部１２４と、ゴルフクラブヘッドの後部に形成されているヒール部１２６と、シャフト（図示せず）へ固着するためのホーゼル部１２８とを含む。上部１２２の背面には、凹部または空洞が形成されていてもよい。
【００１２】
面板部１１０は、ゴルフボールを打撃するための前方打撃面１１０ａと、前方打撃面の裏側すなわち前方打撃面１１０ａと表裏の関係にある背面１１０ｂとを有する。図１に示すように、複数の直線状突出部１１２は、面板部１１０の背面１１０ｂ上にトウ部１２４とヒール部１２６との間において互いに平行な状態で、上部１２２、ソール部１２３、トウ部１２４、ヒール部１２６およびホーゼル部１２８の間に形成されている。ここで注意しなければならないことは、直線状突出部１１２が、異なる長さを有して楕円形パターン中に配置され、該楕円形のパターンが、背面１１０ｂにあるゴルフクラブヘッド１００の重心の延長線を含んでいる点である。各直線状突出部１１２の突出高さは０．３〜３ｍｍの間であり、隣接する直線状突出部１１２の間隔は０．３〜３ｍｍの間であることが好ましい。
【００１３】
図２に示すように、面板部１１０には、前方打撃面１１０ａ側に、水平に形成された（例えば、一般にソール部１２３に平行な状態である）スコアリングライン１１４が形成されている。直線状突出部１１２は、スコアリングライン１１４の延伸方向に平行な方向に形成されていることが好ましい。
【００１４】
図３は、本考案の他の実施形態によるゴルフクラブヘッド２００を示す。ゴルフクラブヘッド２００は、直線状突出部１１２がダイヤ形に配置されている他は、図１のゴルフクラブヘッド１００とほぼ同一である。
【００１５】
楕円形パターンまたはダイヤパターンの幾何学中心は、面板部の背面１１０ｂにあるゴルフクラブヘッドの重心のほぼ延長線上に位置することが好ましい。
【００１６】
本考案の一実施形態において、ソール部１２３の下部コーナー縁には開口部（図示せず）が形成され、挿入部が入れられて開口部と接合される。該挿入部は、開口部と同じ形状であり、ソール部１２３の材料よりも比重が大きい材料からなる。このように配置することにより、ヘッドの重心は装着部の装着位置に対応するように後方へ移動し、アイアン型クラブヘッドの重心をより深くかつ低くすることができる。
【００１７】
図４は、本考案の他の実施形態によるゴルフクラブヘッド３００（ソール部は図示せず）を示す。ゴルフクラブヘッド３００は、金属製の面板部３１０および本体３２０を含むウッド型ゴルフクラブヘッドである。面板部３１０は、前方打撃面３１０ａと、それに表裏の関係にある背面３１０ｂを有する。本体３２０は、クラウン部（上部）３２２、ソール部（図示せず）、トウ部３２４、ヒール部３２６およびホーゼル部３２８を有する。ここで注意しなければならないことは、面板部３１０の背面３１０ｂには、上部３２２、ソール部（図示せず）、トウ部３２４、ヒール部３２６およびホーゼル部３２８の間に、一体成形された互いに平行な複数の直線状突出部３１２が形成されているという点である。直線状突出部３１２は、上部３２２、ソール部（図示せず）、トウ部３２４、ヒール部３２６およびホーゼル部３２８の間に配置されている。上述とほぼ同じ方法で配置されることが好ましい。ゴルフクラブヘッド３００は、ソール部（図示せず）以外の部分が、例えばロストワックス法などの精密鋳造により製造することが容易である。
【００１８】
本考案のゴルフクラブヘッドは、面板部の背面上に複数の直線状突出部が配置されて形成された大きなスイートエリアを有する。そのため、アマチュアプレーヤは、この拡大されたスイートエリアにより容易にボールを打撃することができる。
【００１９】
本考案では好適な実施形態を前述の通り開示したが、これらは決して本考案を限定するものではなく、当該技術を熟知するものなら誰でも、本考案の主旨と領域を脱しない範囲内で各種の変動や潤色を加えることができる。従って本考案の保護の範囲は、請求の範囲で指定した内容を基準とする。
【図面の簡単な説明】
【００２０】
【図１】本考案の一実施形態によるゴルフクラブヘッドを示す分解斜視図である。
【図２】図１の正面図である。
【図３】本考案の他の実施形態によるゴルフクラブヘッドを示す分解斜視図である。
【図４】本考案の他の実施形態によるソール部が除去された状態のゴルフクラブヘッドを示す斜視図である。
【符号の説明】
【００２１】
１００、２００、３００  ゴルフクラブヘッド、  １１０、３１０  面板部、  １１０ａ、３１０ａ  前方打撃面、  １１０ｂ、３１０ｂ  背面、  １１２、３１２  直線状突出部、  １１４  スコアリングライン、  １２０、３２０  本体、  １２２、３２２  上部、  １２３  ソール部、  １２４、３２４  トウ部、  １２６、３２６  ヒール部、  １２８、３２８  ホーゼル部、  １３０  重心、  １３２  垂直投影
【図１】
0003122711.tif 000003
【図２】
0003122711.tif 000004
【図３】
0003122711.tif 000005
【図４】
0003122711.tif 000006